(57)【特許請求の範囲】
【請求項１】
フレキシブルプリント基板（ＦＰＣ）又はフレキシブルフラットケーブル（ＦＦＣ）と着脱自在に嵌合するコネクタであって、
前記フレキシブルプリント基板又はフレキシブルフラットケーブルと接触する接触部と基板に接続する接続部を有するコンタクトと、前記コンタクトが保持・固定されるブロックと、前記ブロックに回動自在に装着されるスライダーとからなるコネクタにおいて、
前記コンタクトは、第一および第二コンタクトの２種類のコンタクトを備え、前記第一および第二コンタクトは、それぞれ交互千鳥に配置され、かつ、全ての前記第一および第二コンタクトの接触部が前記フレキシブルプリント基板又はフレキシブルフラットケーブルの挿入方向において同じ位置となるように配置され、
前記第一コンタクトは、一端側に接触部と他端側に装着部を有するとともに前記接触部と前記装着部のほぼ中央に接続部を有する略Ｕ字形状をし、前記装着部には凹部を設け、
前記第二コンタクトは、一端側に接触部と他端側に接続部を有する略Ｉ字形状をし、
前記スライダーには、回動させた際に前記フレキシブルプリント基板又はフレキシブルフラットケーブルを押圧する回動前後で押圧方向の大きさが変更する細長形状の押圧部を設けると共に、前記押圧部付近に前記第一コンタクトの装着部と係合する装着溝を設け、
前記スライダーを接続方向に回動させ前記フレキシブルプリント基板又はフレキシブルフラットケーブルに前記押圧部を押圧する時に、前記押圧部が前記凹部に係合すると共に、前記押圧部が押圧方向と反対方向に変位しないように前記第一コンタクトにより押えることを特徴とするコネクタ。
【請求項２】
前記押圧部の形状が楕円形状であることを特徴とする請求項１記載のコネクタ。
【発明の詳細な説明】
【０００１】
【発明の属する技術分野】
本発明は、携帯電話やＣＣＤカメラ等に使用されるコネクタに関するもので、特にフレキシブルプリント基板（以下「ＦＰＣ」という）やフレキシブルフラットケーブル（以下「ＦＦＣ」という）を押し付ける機構に関するものである。
【０００２】
【従来の技術】
携帯電話やＣＣＤカメラ等に使用されるコネクタは、狭ピッチで極薄（所謂軽薄短小）であり、主にブロック６２とコンタクト６４とスライダー６６とから構成され、一般的にブロック６２とスライダー６６とでＦＰＣ４２又はＦＦＣを挟持する構造である。ブロック６２とスライダー６６とでＦＰＣ４２又はＦＦＣを保持する方法には、色々考えられる。ブロック６２には、コンタクト６４が挿入される所要数の挿入孔が設けられ、長手方向両側にスライダー６６の軸２４が装着される軸受け部２６が設けられている。コンタクト６４は略Ｕ字形状をしており、主にＦＰＣ４２又はＦＦＣと接触する接触部２０と基板等に接続する接続部３６とブロック６２に固定される固定部とスライダー６６の回動をガイドする装着部１８とから構成されている。このコンタクト６４は、圧入等によってブロック６２に固定されている。例えば、スライダー６６は、図６のように略クランク形状をしており、所要数のコンタクト６４が配置されたブロック６２に、前記スライダー６６を軸２４などにより、回動自在に装着されている。このようなスライダー６６は、主にブロック６２の軸受けに装着される軸２４とＦＰＣ４２又はＦＦＣをコンタクト６４の接触部２０に押圧する押圧部６８とコンタクト６４の装着部１８にガイドされる切欠部とからなっている。ＦＰＣ４２又はＦＦＣが挿入される以前は、スライダー６６は図７（Ａ）のようにほぼ垂直に立った状態になっている。ＦＰＣ４２又はＦＦＣが挿入されると、スライダー６６は図７（Ｂ）のように、コンタクト６４の装着部１８にスライダー６６の切欠部がガイドされるように回動し、ブロック６２とほぼ平行な状態になる。
【０００３】
【発明が解決しようとする課題】
上述した構造の電気コネクタ６０では、図７のようにスライダー６６を回動させながらＦＰＣ４２又はＦＦＣとコンタクト６４の装着部１８との間に挿入する際に、スライダー６６の挿入に対する反発力が強い為に、図８（Ａ）のようにスライダー６６の中央部が矢印「ハ」方向に膨れてしまうので、ＦＰＣ４２又はＦＦＣをコンタクト６４の接触部２０に押圧することが出来ないといった解決すべき課題があった。ＦＰＣ４２又はＦＦＣをコンタクト６４の接触部２０に押圧することが出来ない部分が発生するので、接続不良に繋がってしまう。
【０００４】
本発明は、このような従来の問題点に鑑みてなされたもので、スライダーでＦＰＣ又はＦＦＣを確実にコンタクトの接触部に押圧することができ、接続不良が起こらないコネクタを提供せんとするものである。
【０００５】
【課題を解決するための手段】
上記目的は、フレキシブルプリント基板（ＦＰＣ）又はフレキシブルフラットケーブル（ＦＦＣ）と着脱自在に嵌合するコネクタであって、前記フレキシブルプリント基板又はフレキシブルフラットケーブルと接触する接触部と基板に接続する接続部を有するコンタクトと、前記コンタクトが保持・固定されるブロックと、前記ブロックに回動自在に装着されるスライダーとからなるコネクタにおいて、前記コンタクトは、第一および第二コンタクトの２種類のコンタクトを備え、前記第一および第二コンタクトは、それぞれ交互千鳥に配置され、かつ、全ての前記第一および第二コンタクトの接触部が前記フレキシブルプリント基板又はフレキシブルフラットケーブルの挿入方向において同じ位置となるように配置され、前記第一コンタクトは、一端側に接触部と他端側に装着部を有するとともに前記接触部と前記装着部のほぼ中央に接続部を有する略Ｕ字形状をし、前記装着部には凹部を設け、前記第二コンタクトは、一端側に接触部と他端側に接続部を有する略Ｉ字形状をし、前記スライダーには、回動させた際に前記フレキシブルプリント基板又はフレキシブルフラットケーブルを押圧する回動前後で押圧方向の大きさが変更する細長形状の押圧部を設けると共に、前記押圧部付近に前記第一コンタクトの装着部と係合する装着溝を設け、前記スライダーを接続方向に回動させ前記フレキシブルプリント基板又はフレキシブルフラットケーブルに前記押圧部を押圧する時に、前記押圧部が前記凹部に係合すると共に、前記押圧部が押圧方向と反対方向に変位しないように前記第一コンタクトにより押えることにより達成できる。
【０００６】
前記押圧部の形状が楕円形状であることで、押圧部は該スライダーの回動前後で押圧方向の大きさが変更できると共に押圧時の方が大きくなるようにすることができる。
【０００７】
【作用】
図２（Ａ）のように、スライダーを矢印「イ」方向に回動させると、スライダーの押圧部はコンタクトの接触部と装着部との間で回転すると共に、押圧部が楕円形をしているので、スライダーが回動すると押圧部の大きさの変化によりＦＰＣ又はＦＦＣをコンタクトの接触部側に押し付けることができる。
【０００８】
【発明の実施の形態】
図に基づいて、本発明のコネクタについて説明する。図１（Ａ）はスライダーが開いた状態の本発明のコネクタの斜視図であり、（Ｂ）はスライダーが閉じた状態の本発明のコネクタの斜視図である。図２（Ａ）は図１（Ａ）の状態の断面図であり、（Ｂ）は図１（Ｂ）の状態の断面図である。図３（Ａ）はスライダーが開いた状態の別の本発明のコネクタの斜視図であり、（Ｂ）はスライダーが閉じた状態の別の本発明のコネクタの斜視図である。図４（Ａ）は図３（Ａ）の状態の断面図であり、（Ｂ）は図３（Ｂ）の状態の断面図である。図５（Ａ）はまた別のコネクタの部分斜視図であり、（Ｂ）はまた別のコネクタの部分斜視図である。本発明のコネクタは、主にブロックとスライダーとコンタクトとから構成されている。
【０００９】
最初に、図１及び図２を基にして、第一実施例について説明する。まず、本発明のポイントであるスライダー１６について説明する。このスライダー１６は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。該スライダー１６は主にブロック１２に回動可能に装着される軸２４部分とＦＰＣ４２又はＦＦＣを第一コンタクト１４の接触部２０に押圧する押圧部３２とからなっている。前記軸２４は、スライダー１６を回動するための支点であり、ブロック１２の長手方向両側にスライダー１６が回動可能に適宜装着されている。また、長手方向両側には、ＦＰＣ４２又はＦＦＣを第一コンタクト１４に押し付けた際にスライダー１６が高さ（図面の上）方向に持ち上がらないようにするためにブロック１２と係合するロック部２８が設けられている。ロック部２８の形状や大きさ等は、ブロック１２に係合できれば如何なるものでもよく、上述の役割やコネクタ１０の大きさや強度等を考慮して適宜設計する。
【００１０】
前記押圧部３２は、ＦＰＣ４２又はＦＦＣを第一コンタクト１４の接触部２０に押し付ける部分であり、本実施例では楕円形状をしている。このように楕円形状にすることによって、図２のようにスライダー１６を矢印「イ」方向に回動させ、第一コンタクト１４の接触部２０と装着部１８との間で回転させることで、押圧部３２の大きさの変化によりＦＰＣ４２又はＦＦＣを第一コンタクト１４の接触部２０側に押し付けている。押圧部３２の形状としては、第一コンタクト１４の接触部２０と装着部１８との間で回転でき、長軸と短軸といった大きさの違いによりＦＰＣ４２又はＦＦＣを押し付けられれば、如何なるものでもよい。また、前記ロック部２８と同様に、ＦＰＣ４２又はＦＦＣを第一コンタクト１４に押し付けた際にスライダー１６が高さ（図面の上）方向に持ち上がらないようにするために第一コンタクト１４の装着部１８が挿入される装着溝３８が設けられている。この装着溝３８の形状や大きさ等は、第一コンタクト１４の装着部１８が挿入できれば如何なるものでもよく、上述の役割やコネクタ１０の大きさや強度等を考慮して適宜設計する。
【００１１】
次に、第一コンタクト１４について説明する。この第一コンタクト１４は金属製であり、公知技術のプレス加工によって製作されている。前記コンタクトの材質としては、バネ性などが要求されるので、黄銅やベリリウム銅やリン青銅等を挙げることができる。前記第一コンタクト１４は、図２のように略Ｕ字形状をしており、主にＦＰＣ４２又はＦＦＣと接触する接触部２０と基板に接続する接続部３６とブロック１２に固定する固定部３４とブロック１２の装着溝３８に挿入される装着部１８とからなっている。前記接触部２０は、ＦＰＣ４２又はＦＦＣと接触し易いように凸部形状にしている。前記接続部３６は本実施例では図１のように表面実装タイプ（ＳＭＴ）にしているが、ディップタイプでも良い。前記装着部１８は、スライダー１６を回動し、ＦＰＣ４２又はＦＦＣを第一コンタクト１４に押し付けた際にスライダー１６が高さ（図面の上）方向に持ち上がらないようにするための部分であり、前記接触部２０と対向するように設けられている。装着部１８の大きさや形状は、このような役割と第一コンタクト１４の強度等を考慮して適宜設計する。
【００１２】
次に、ブロック１２について説明する。このブロック１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ブロック１２には、所要数の第一コンタクト１４が装着される挿入孔が設けられており、圧入や溶着等によって固定されている。また、長手方向両側には、前記スライダー１６の軸２４が回動可能に装着される軸受部２６が設けられている。この軸受部２６の形状や大きさは、スライダー１６の軸２４が回動できるように装着されていれば如何なるものでもよく、この役割やブロック１２の強度や大きさ等を考慮して適宜設計する。なお、長手方向両側には、前記スライダー１６のロック部２８に対応した位置に係止部２２が設けられている。
【００１３】
図３と図４に基づいて、第二実施例について説明する。図１及び図２の第一実施例との相違点についてのみ説明する。ブロック１２の軸受部２６の形状が若干相違しているが、これは設計上の差異であり、機能・作用上は同じであるので、説明を省略する。第一実施例との相違点は、第一コンタクト１４１である。この第一コンタクト１４１も第一実施例の第一コンタクト１４同様に接触部２０と接続部３６と固定部３４と装着部１８とからなっている。前記装着部１８に凹部４０が設けられている点で第一実施例と相違する。この凹部４０を設けて、スライダー１６がＦＰＣ４２又はＦＦＣを押し付けるために回動した際に、スライダー１６の押圧部３２が前記凹部４０に係合するようにしたものであり、スライダー１６が図４（Ｂ）の矢印「ロ」方向に確実に変位しないようにしたものである。前記凹部４０の形状や大きさは、スライダー１６の押圧部３２が係合できれば如何なるものでも良く、このような役割やコンタクトの強度等を考慮して適宜設計する。
【００１４】
図５に基づいて、第三・第四の実施例について説明する。それぞれ第一実施例との相違点についてのみ説明する。図５（Ａ）の第三実施例は、第一実施例の第一コンタクト１４の配列を千鳥にしたものである。即ち、第一コンタクト１４の間に第二コンタクト５４を、第一コンタクト１４の接続部３６と第二コンタクト５４の接続部３６とが逆方向に突出するように配置したものである。図５（Ｂ）の第四実施例は、第三実施例と同様に第二実施例の第一コンタクト１４１の配列を千鳥にしたものである。第一コンタクト１４１と第二コンタクト５４の接続部３６の突出方向を逆にしたのも第三実施例と同様である。上述した４つの実施例は、ＦＰＣ又はＦＦＣを押圧した時に押圧部が押圧方向と反対方向に変位しないようにするための対策として、コンタクトの装着部をスライダーの装着溝に挿入することによって行っているものを示したが、このような対策に限定されるものではない。例えば、ブロックにスライダーの装着溝に挿入できる突起を設けるものやコネクタ以外（例えば、筐体など）の部品により押圧部３２の変形を防止する構造でも良い。
【００１５】
【発明の効果】
以上の説明から明らかなように、本発明のコネクタによると、次のような優れた効果が得られる。
（１）スライダー１６を回動させると、スライダー１６の押圧部３２は第一コンタクト１４の接触部２０と装着部１８との間で回転すると共に押圧部３２が楕円形をしているので、スライダー１６が回動すると押圧部３２の大きさの変化によりＦＰＣ４２又はＦＦＣを第一コンタクト１４の接触部２０側に押し付けることができる。
（２）スライダー１６には、回動した際にＦＰＣ又はＦＦＣを押圧する押圧部３２が設けられ、ＦＰＣ４２又はＦＦＣを押圧した時に押圧部３２が押圧方向と反対方向に変位しないようにブロック１２又は第一コンタクト１４により押えているので、容易にＦＰＣ４２又はＦＦＣは第一コンタクト１４の接触部２０に接触でき、接続不良等が起こらない。
（３）スライダー１６の押圧部３２付近には装着溝３８が設けられ、第一コンタクト１４を略Ｕ字形状にすると共に接触部２０と反対側に装着部１８を設け、この装着部１８を装着溝３８に挿入しているので、確実にＦＰＣ４２又はＦＦＣを第一コンタクト１４の接触部２０に押圧することができ、ＦＰＣ４２又はＦＦＣを押圧した時に押圧部３２が押圧方向と反対方向に変位しない。
（４）スライダー１６の押圧部３２は回動前後で押圧方向の大きさが変化し、押圧時の方が大きくなるようになっているので、確実にスライダー１６を回動しただけで押圧部３２が第一コンタクト１４の接触部２０と装着部１８との間で回転するためにＦＰＣ４２又はＦＦＣを第一コンタクト１４の接触部２０に押圧でき、接続不良等が起こらない。
（５）第一コンタクト１４の装着部１８に凹部４０が設けられ、ＦＰＣ４２又はＦＦＣを押圧する際にスライダー１６の押圧部３２が凹部４０に係合されるので、スライダー１６を回動させた際に、確実に押圧部３２を第一コンタクト１４の接触部２０と装着部１８との間で回転させて、ＦＰＣ４２又はＦＦＣを第一コンタクト１４の接触部２０に押圧でき、ＦＰＣ４２又はＦＦＣがＦＰＣ４２又はＦＦＣの挿入方向に動くことがないために接続不良が起こらない。
（６）第一コンタクト１４間に、第一コンタクト１４の接続部２０と反対方向に接続部３６が突出した別の第二コンタクト５４を設置すると、狭小ピッチ化が可能になる。
（７）ブロック１２に、スライダー１６の挿入溝４０に挿入する突出部を設けると、確実にＦＰＣ４２又はＦＦＣを第一コンタクト１４の接触部２０に押圧でき、接続不良が起こらない。
【図面の簡単な説明】
【図１】（Ａ）スライダーが開いた状態の本発明のコネクタの斜視図である。
（Ｂ）スライダーが閉じた状態の本発明のコネクタの斜視図である。
【図２】（Ａ）図１（Ａ）の状態の断面図である。
（Ｂ）図１（Ｂ）の状態の断面図である。
【図３】（Ａ）スライダーが開いた状態の別の本発明のコネクタの斜視図である。
（Ｂ）スライダーが閉じた状態の別の本発明のコネクタの斜視図である。
【図４】（Ａ）図３（Ａ）の状態の断面図である。
（Ｂ）図３（Ｂ）の状態の断面図である。
【図５】（Ａ）また別のコネクタの部分斜視図である。
（Ｂ）また別のコネクタの部分斜視図である。
【図６】（Ａ）スライダーが開いた状態の従来のコネクタの部分斜視図である。
（Ｂ）スライダーが閉じた状態の従来のコネクタの部分斜視図である。
【図７】（Ａ）スライダーが開いた状態の従来のコネクタの断面図である。
（Ｂ）スライダーが閉じた状態の従来のコネクタの断面図である。
【図８】課題の説明図である。
【符号の説明】
１０，５０，６０    コネクタ
１２，５２，６２    ブロック
１４，１４１，６４  第一コンタクト
１６，６６          スライダー
１８                装着部
２０                接触部
２２                係止部
２４                軸
２６                軸受部
２８                ロック部
３０                係合部
３２                押圧部
３４                固定部
３６                接続部
３８                装着溝
４０                凹部
４２                ＦＰＣ
５４ 第二コンタクト
【図１】
0004607348.tif 000002
【図２】
0004607348.tif 000003
【図３】
0004607348.tif 000004
【図４】
0004607348.tif 000005
【図５】
0004607348.tif 000006
【図６】
0004607348.tif 000007
【図７】
0004607348.tif 000008
【図８】
0004607348.tif 000009